(57)【要約】【課題】  簡単な構造で、発光素子を安定した状態で固定できると共に、発光素子で発光した光が隣接する鍵に漏れるのを抑制できる鍵盤装置を提供する。【解決手段】  鍵盤シャーシ６上に光透過性を有する複数の鍵７を上下方向に回動可能に設けると共に、この鍵盤シャーシ６に、複数の鍵７の各内部にそれぞれ非接触状態で挿入する複数の突起部２５、２８を有する第１、第２の各基板２４、２７をそれぞれ起立させて設け、この第１、第２の各基板２４、２７の各突起部２５、２８に、複数の鍵７の各内部にそれぞれ光を照射する複数の発光素子２６、２９を設けた。従って、発光素子２６、２９を保持する保持部材が不要となるので、部品点数が少なく、構造が簡単で、組立て作業が容易であるほか、発光素子２６、２９を安定した状態で固定することができると共に、発光素子２６、２９で発光した光が隣接する鍵７に漏れるのを抑制することができる。【選択図】        図２
2010181756.tif 000002
【特許請求の範囲】
【請求項１】
鍵盤シャーシと、
この鍵盤シャーシ上に配列されて上下方向に回動可能に設けられた光透過性を有する複数の鍵と、
前記鍵盤シャーシに起立して設けられ、前記複数の鍵の各内部にそれぞれ非接触状態で挿入する複数の突起部を有する基板と、
この基板の前記複数の突起部にそれぞれ設けられ、前記複数の鍵の各内部にそれぞれ光を照射する複数の発光素子と
を備えていることを特徴とする鍵盤装置。
【請求項２】
前記発光素子は、ほぼ直方体のチップ形状に形成され、その一側面である上面から光を発光する側面発光ダイオードであることを特徴とする請求項１に記載の鍵盤装置。
【請求項３】
前記複数の突起部のうち、所定間隔ごとの前記突起部に対応する箇所の前記基板には、それぞれ係合部が設けられており、前記鍵盤シャーシの所定箇所には、前記基板の前記係合部に係合して前記基板を前記鍵盤シャーシに対して固定するための係止フック部がそれぞれ設けられていることを特徴とする請求項１または請求項２に記載の鍵盤装置。
【請求項４】
前記複数の突起部の各間に位置する箇所の前記基板には、前記複数の鍵が押鍵された際に、その押鍵された各鍵の内面にこれに対応する前記突起部および前記発光素子が非接触状態で、前記押鍵された各鍵の下端部が当接する補助ストッパ部がそれぞれ設けられていることを特徴とする請求項１〜請求項３のいずれかに記載の鍵盤装置。
【発明の詳細な説明】
【技術分野】
【０００１】
この発明は、電子ピアノなどの鍵盤楽器に用いられる鍵盤装置に関し、更に詳しくは演奏に応じて各鍵が順次発光する鍵盤装置に関する。
【背景技術】
【０００２】
従来、電子ピアノなどの鍵盤楽器においては、特許文献１に記載されているように、鍵盤シャーシ上に複数の鍵を配列させて上下方向に回動可能に設けると共に、この鍵盤シャーシ上に各鍵の内部に光を照射させるための複数の発光素子を設け、この複数の鍵を順次押鍵操作して演奏する際、その演奏に応じて複数の発光素子を順次発光させることにより、演奏に応じて押鍵すべき鍵を光らせて指示するナビゲーション機能を備えたものが知られている。
【先行技術文献】
【特許文献】
【０００３】
【特許文献１】特開２００１−３４２６８号公報
【発明の概要】
【発明が解決しようとする課題】
【０００４】
しかしながら、このような従来の鍵盤楽器では、複数の発光素子を鍵盤シャーシに設けるために、鍵盤シャーシ上に基板を鍵の配列方向に沿って水平に配置し、この基板上に複数の発光素子の各リード線をそれぞれ接続させて、複数の発光素子を基板上に起立させた状態で取り付けているので、各発光素子が不安定な状態になるばかりか、各発光素子で発光した光が隣接する鍵に漏れ易いという問題がある。
【０００５】
そこで、このような問題を解消するために、基板上に保持部材を起立させて設け、この保持部材で複数の発光素子をそれぞれ保持するように構成したものが考えられている。しかし、このような構成では、保持部材によって複数の発光素子を安定した状態で保持すると共に、この保持部材によって複数の発光素子の光が隣接する鍵に漏れ難くすることができても、基板に保持部材を設けなければならないため、部品点数が増え、構造が複雑になり、組立て作業が面倒になるという問題がある。
【０００６】
この発明が解決しようとする課題は、簡単な構造で、発光素子を安定した状態で固定することができると共に、発光素子で発光した光が隣接する鍵に漏れるのを抑制することができる鍵盤装置を提供することである。
【課題を解決するための手段】
【０００７】
この発明は、上記課題を解決するために、次のような構成要素を備えている。
請求項１に記載の発明は、鍵盤シャーシと、この鍵盤シャーシ上に配列されて上下方向に回動可能に設けられた光透過性を有する複数の鍵と、前記鍵盤シャーシに起立して設けられ、前記複数の鍵の各内部にそれぞれ非接触状態で挿入する複数の突起部を有する基板と、この基板の前記複数の突起部にそれぞれ設けられ、前記複数の鍵の各内部にそれぞれ光を照射する複数の発光素子とを備えていることを特徴とする鍵盤装置である。
【０００８】
請求項２に記載の発明は、前記発光素子が、ほぼ直方体のチップ形状に形成され、その一側面である上面から光を発光する側面発光ダイオードであることを特徴とする請求項１に記載の鍵盤装置である。
【０００９】
請求項３に記載の発明は、前記複数の突起部のうち、所定間隔ごとの前記突起部に対応する箇所の前記基板に、それぞれ係合部が設けられており、前記鍵盤シャーシの所定箇所には、前記基板の前記係合部に係合して前記基板を前記鍵盤シャーシに対して固定するための係止フック部がそれぞれ設けられていることを特徴とする請求項１または請求項２に記載の鍵盤装置である。
【００１０】
請求項４に記載の発明は、前記複数の突起部の各間に位置する箇所の前記基板に、前記複数の鍵が押鍵された際に、その押鍵された各鍵の内面にこれに対応する前記突起部および前記発光素子が非接触状態で、前記押鍵された各鍵の下端部が当接する補助ストッパ部がそれぞれ設けられていることを特徴とする請求項１〜請求項３のいずれに記載の鍵盤装置である。
【発明の効果】
【００１１】
この発明によれば、鍵盤シャーシに起立して設けられた基板の複数の突起部を複数の鍵の各内部にそれぞれ非接触状態で挿入させ、この挿入した複数の突起部にそれぞれ発光素子を起立させずに設けることができるので、簡単な構造で、部品点数が少なく、組立て作業が容易にできるばかりか、鍵の内部に挿入する基板の突起部によって発光素子を安定した状態で固定することができると共に、基板の突起部によって発光素子で発光した光が隣接する鍵に漏れるのを抑制することができる。
【図面の簡単な説明】
【００１２】
【図１】この発明を適用した鍵盤楽器の一実施形態を示した平面図である。
【図２】図１のＡ−Ａ矢視における要部を示した拡大断面図である。
【図３】図１のＢ−Ｂ矢視における要部を示した拡大断面図である。
【図４】図２において白鍵を照明する発光素子の取付構造における要部を示した拡大断面図である。
【図５】一実施形態の変形例を示した要部の拡大断面図である。
【発明を実施するための形態】
【００１３】
以下、図１〜図４を参照して、この発明を適用した鍵盤楽器の一実施形態について説明する。
この鍵盤楽器は、図１に示すように、楽器本体１を備えている。この楽器本体１の手前側（図１では下部側）には、鍵盤部２が設けられており、この楽器本体１における鍵盤部２の後部側（図１では上部側）には、スピーカ部３、表示部４、およびスイッチ部５が設けられている。
【００１４】
スピーカ部３は、楽音を発音するためのものであり、図１に示すように、鍵盤部２の後部側（図１では上部側）に位置する楽器本体１の両側に設けられている。表示部４は、楽音情報を表示するものであり、鍵盤部２の後部側に位置する楽器本体１の中間部に設けられている。スイッチ部５は、音量調整や音色選択などの各種のスイッチを備え、鍵盤部２の後部側に位置する楽器本体１における両側のスピーカ部３の間に表示部４を除いて分散して設けられている。
【００１５】
ところで、鍵盤部２は、図１〜図３に示すように、下部ケースを兼ねる鍵盤シャーシ６上に白鍵７ａおよび黒鍵７ｂからなる多数の鍵７が配列されている。鍵盤シャーシ６は、図２に示すように、その前部側（図２では左側部）に白鍵７ａの前端部における下部側を覆う前カバー部８が形成されている。この前カバー部８の後側下部（図２では右側下部）には、白鍵７ａの下限位置を規制するためのフェルトなどからなる白鍵ストッパ部９が設けられている。
【００１６】
この白鍵ストッパ部９の後部（図２では右側部）には、図２に示すように、白鍵７ａの内部に挿入して白鍵７ａの横振れを防ぐための白鍵ガイド部１０が上方に突出して設けられている。この白鍵ガイド部１０の後部には、後述する白鍵用の第１基板搭載部１１が上方に突出て設けられている。この第１基板搭載部１１の後方下部には、黒鍵７ｂの下限位置を規制するためのフェルトなどからなる黒鍵ストッパ部１２が設けられている。
【００１７】
この黒鍵ストッパ部１２の後部（図２では右側部）には、図２に示すように、後述する黒鍵用の第２基板搭載部１３が上方に突出て設けられている。この黒鍵用の第２基板搭載部１３の上部下面には、白鍵７ａおよび黒鍵７ｂの各上限位置を規制するためのフェルトなどからなる上限ストッパ部１４が設けられている。また、この黒鍵用の第２基板搭載部１３の下端部には、底蓋１３ａがビス１３ｂによって開閉可能に取り付けられている。
【００１８】
また、この黒鍵用の第２基板搭載部１３の後部（図２では右側部）には、図２に示すように、黒鍵７ｂの内部に挿入して黒鍵７ｂの横振れを防ぐための黒鍵ガイド部１５が上方に突出て設けられている。この黒鍵ガイド部１５の後端上部には、スイッチ基板１６が取り付けられている。さらに、鍵盤シャーシ６の後端部には、各鍵７の後端部（図２では右端部）を支持する鍵支持部１７が上方に突出して設けられている。
【００１９】
一方、複数の鍵７のうち、複数の白鍵７ａは、それぞれ光透過性を有する白色の合成樹脂からなり、図２および図３に示すように、その内部が中空状に形成されている。この白鍵７ａは、図２に示すように、その後端部（図２では右端部）に複数の白鍵７ａの配列方向（図２では紙面の表裏面方向）に沿って各白鍵７ａを順次連結する共通連結部１８が形成されていると共に、この共通連結部１８に各白鍵７ａをそれぞれ上下方向に回動変位させるための薄肉形状の屈曲部１９が形成された構成になっている。
【００２０】
また、複数の黒鍵７ｂも、白鍵７ａと同様、それぞれ光透過性を有する黒色の合成樹脂からなり、図２および図３に示すように、その内部が中空状に形成されている。この黒鍵７ｂも、図２に示すように、その後端部（図２では右端部）に複数の黒鍵７ｂの配列方向に沿って各黒鍵７ｂを順次連結する共通連結部２０が形成されていると共に、この共通連結部２０に各黒鍵７ｂをそれぞれ上下方向に回動変位させるための薄肉形状の屈曲部２１が形成された構成になっている。
【００２１】
これにより、複数の鍵７は、図２に示すように、白鍵７ａの共通連結部１８を黒鍵７ｂの共通連結部２０上に重ね合わせ、この状態で両者の共通連結部１８、２０を鍵盤シャーシ６の後端部に設けられた鍵支持部１７上に取り付けることにより、複数の白鍵７ａおよび複数の黒鍵７ｂが鍵盤シャーシ６上に配列された状態で、上下方向に回動可能に取り付けられている。
【００２２】
このため、複数の鍵７は、複数の白鍵７ａがそれぞれ押鍵された際に、複数の白鍵７ａが各屈曲部１９によってそれぞれ上下方向に回動変位すると共に、複数の黒鍵７ｂがそれぞれ押鍵された際に、複数の黒鍵７ｂが各屈曲部２１によってそれぞれ上下方向に回動変位するように構成されている。
【００２３】
また、これら白鍵７ａおよび黒鍵７ｂには、図２に示すように、それぞれスイッチ押圧部２２がスイッチ基板１６上の各ゴムスイッチ２３に対応して設けられている。このスイッチ押圧部２２は、白鍵７ａおよび黒鍵７ｂが押鍵された際に、スイッチ基板１６上に設けられた各ゴムスイッチ２３を押圧するように構成されている。
【００２４】
この場合、ゴムスイッチ２３は、図２に示すように、白鍵７ａおよび黒鍵７ｂの各スイッチ押圧部２２に対応してそれぞれ設けられている。このゴムスイッチ２３は、ゴムシートにドーム状の膨出部を形成してスイッチ基板１６上に配置され、この状態で膨出部が押圧されると、ドーム状の膨出部が弾性変形し、その内部に設けられた可動接点がスイッチ基板１６上に設けられた固定接点に接触することにより、押鍵操作に応じてスイッチ信号を出力するように構成されている。
【００２５】
ところで、鍵盤シャーシ６の第１基板搭載部１１には、図２および図３に示すように、白鍵用の第１基板２４が後側（図２では右側）に少し傾いて起立した状態で取り付けられている。この第１基板２４は、白鍵７ａの配列方向に沿って細長く形成されている。この第１基板２４の上部には、図３に示すように、各白鍵７ａの内部にそれぞれ非接触状態で挿入する複数の突起部２５が形成されている。この複数の突起部２５の各上部前面（図２では左側面）には、各白鍵７ａの前側内部に光を照射する白鍵用の発光素子２６がそれぞれ設けられている。
【００２６】
同様に、鍵盤シャーシ６の第２基板搭載部１３には、図２および図３に示すように、黒鍵用の第２基板２７が前側（図２では左側）に少し傾いて起立した状態で取り付けられている。この第２基板２７は、黒鍵７ｂの配列方向に沿って細長く形成されている。この第２基板２７の上部には、第１基板２４と同様、各黒鍵７ｂの内部にそれぞれ非接触状態で挿入する複数の突起部２８が形成されている。この複数の突起部２８の上部前面（図２では左側面）には、各黒鍵７ｂの前側内部に光を照射する黒鍵用の発光素子２９がそれぞれ設けられている。
【００２７】
この場合、白鍵用の発光素子２６および黒鍵用の発光素子２９は、図２〜図４に示すように、それぞれほぼ直方体のチップ形状に形成され、その一側面である上面のみから光を発光する側面発光ダイオードである。この発光素子２６、２９は、ほぼ直方体のチップ形状に形成されていることにより、図２および図４に示すように、その後面（図２では右側面）が第１、第２の各基板２４、２７にそれぞれ形成された各突起部２５、２８の各上部前面（図２では左側面）に密着して半田などで電気的に接続された状態で平面実装されている。
【００２８】
これにより、白鍵用の発光素子２６は、その一側面である上面から光を発すると、図２に示すように、その光が白鍵７ａの前側内部に照射され、この照射された光の一部が白鍵７ａを透過することにより、白鍵７ａの前部側を光らせるように構成されている。また、黒鍵用の発光素子２９は、白鍵用の発光素子２６と同様、その一側面である上面から光を発すると、図２に示すように、その光が黒鍵７ｂの前側内部に照射され、この照射された光の一部が黒鍵７ｂを透過することにより、黒鍵７ｂの前部側を光らせるように構成されている。
【００２９】
ところで、第１、第２の各基板２４、２７には、図３に示すように、所定間隔ごとに複数の係合孔３０、３１が設けられている。すなわち、第１基板２４に設けられた複数の係合孔３０は、図３に示すように、矩形状の孔であり、所定間隔ごとに突起部２５に対応する第１基板２４の箇所にそれぞれ設けられている。また、第２基板２７に設けられた複数の係合孔３１も、第１基板２４の係合孔３０と同様、矩形状の孔であり、所定間隔ごとに突起部２８に対応する第２基板２７の箇所にそれぞれ設けられている。
【００３０】
また、鍵盤シャーシ６の第１、第２の各基板搭載部１１、１３には、図２および図４に示すように、それぞれ第１、第２の各基板２４、２７における各係合孔３０、３１にそれぞれ係合して第１、第２の各基板２４、２７を鍵盤シャーシ６に対して固定するための複数の係止フック部３２、３３が設けられている。
【００３１】
すなわち、鍵盤シャーシ６の第１基板搭載部１１に設けられた係止フック部３２は、図２および図４に示すように、第１基板２４の各係合孔３０に後側（図４では右側）から前側（図４では左側）に向けて挿入して係合することにより、第１基板２４を第１基板搭載部１１に対し、少し後側に傾けて起立させた状態で取り付けるように構成されている。
【００３２】
また、鍵盤シャーシ６の第２基板搭載部１３に設けられた係止フック部３３は、図２に示すように、第２基板２７の各係合孔３１に前側（図２では左側）から後側（図２では右側）に向けて挿入して係合することにより、第２基板２７を第２基板搭載部１３に対し、少し前側に傾けて起立させた状態で取り付けるように構成されている。
【００３３】
さらに、第１、第２の各基板２４、２７のうち、第１基板２４における複数の突起部２５の各間に位置する箇所には、図３に示すように、各白鍵７ａがそれぞれ押鍵された際に、その押鍵された各白鍵７ａの内面にこれに対応する突起部２５および発光素子２６が非接触状態で、押鍵された各白鍵７ａの下端部が当接する白鍵用の補助ストッパ部３４がそれぞれ設けられている。
【００３４】
これと同様に、第２基板２７における複数の突起部２８の各間に位置する箇所にも、第１基板２４と同様、各黒鍵７ｂがそれぞれ押鍵された際に、その押鍵された各黒鍵７ｂの内面にこれに対応する突起部２８および発光素子２９が非接触状態で、押鍵された各黒鍵７ｂの下端部が当接する黒鍵用の補助ストッパ部３５がそれぞれ設けられている。なお、第１、第２の各基板２４、２７は、図２に示すように、接続ケーブル３６によって電気的に接続されている。
【００３５】
次に、このような鍵盤楽器の作用について説明する。
この鍵盤楽器で演奏する場合には、その演奏に応じて各鍵７を押鍵する際に、その押鍵すべき鍵７に対応する発光素子２６、２９を順次発光させて、押鍵すべき鍵７を順次光らせることができる。例えば、押鍵する鍵７が複数の白鍵７ａのいずれかである場合には、その白鍵７ａに対応する発光素子２６を発光させると、その光が白鍵７ａの前側内部に照射され、この照射された光の一部が白鍵７ａを透過することにより、白鍵７ａの前部側を光らせることができる。
【００３６】
また、押鍵する鍵７が複数の黒鍵７ｂのいずれかである場合には、その黒鍵７ｂに対応する発光素子２９を発光させると、その光が黒鍵７ｂの前側内部に照射され、この照射された光の一部が黒鍵７ｂを透過することにより、黒鍵７ｂの前部側を光らせることができる。これにより、演奏に応じて押鍵すべき鍵７を順次光らせることができるので、演奏者が初心者であっても、良好に演奏することができる。
【００３７】
さらに、この鍵盤楽器では、演奏者が複数の鍵７を押鍵操作して演奏をする際に、その演奏に応じて押鍵された鍵７をこれに対応する発光素子２６、２９によって光らせることにより、どの鍵７が押鍵されているのかを演奏者が確認することができ、これにより演奏に応じて正しく鍵７が押鍵されているかを判断することができる。
【００３８】
このように、この鍵盤楽器によれば、鍵盤シャーシ６上に光透過性を有する複数の鍵７を上下方向に回動可能に設けて配列すると共に、この鍵盤シャーシ６に、複数の鍵７の各内部にそれぞれ非接触状態で挿入する複数の突起部２５、２８を有する第１、第２の各基板２４、２７をそれぞれ起立させて設け、この第１、第２の各基板２４、２７の各突起部２５、２８に、複数の鍵７の各内部にそれぞれ光を照射する複数の発光素子２６、２９を設けたので、構造が簡単で、発光素子２６、２９を安定した状態で固定することができると共に、発光素子２６、２９で発光した光が隣接する鍵７に漏れるのを抑制することができる。
【００３９】
すなわち、この鍵盤楽器では、鍵盤シャーシ６に起立して設けられた第１、第２の各基板２４、２７に、複数の鍵の各内部にそれぞれ非接触状態で挿入する複数の突起部２５、２８を設け、この複数の突起部２５、２８にそれぞれ発光素子２６、２９を設けている構成であるから、各発光素子２６、２９の倒れを防止するための保持部材が不要になり、このため部品点数を削減することができるので、構造が簡単になり、組立て作業を容易に行うことができる。
【００４０】
また、この鍵盤楽器では、各発光素子２６、２９を第１、第２の各基板２４、２７に起立させずに設けることができるので、各発光素子２６、２９の倒れを防ぐための保持部材を用いずに、各発光素子２６、２９を安定した状態で第１、第２の各基板２４、２７の各突起部２５、２８に確実に固定することができると共に、第１、第２の各基板２４、２７およびその各突起部２５、２８によって各発光素子２６、２９で発光した光が隣接する鍵７に漏れるのを抑制することができ、これにより押鍵すべき鍵７のみを良好に光らせることができる。
【００４１】
この場合、発光素子２６、２９は、ほぼ直方体のチップ形状に形成され、その一側面である上面から光を発光する側面発光ダイオードであるから、その一側面である上面を上に向けた状態で、その後面（図２では右側面）を平面実装により第１、第２の各基板２４、２７に設けられた突起部２５、２８の上部前面（図２では左側面）に密着させて半田などで電気的に接続した状態で確実に固定することができる。
【００４２】
このため、発光素子２６、２９を第１、第２の各基板２４、２７の各突起部２５、２８に安定させた状態で確実に取り付けることができる。また、この発光素子２６、２９は、第１、第２の各基板２４、２７の各突起部２５、２８の上部前面に取り付けられていることにより、各発光素子２６、２９が光を発すると、その光を鍵７の前側内部に確実に照射することができるので、発光した光が隣接する鍵７に漏れるのを突起部２５、２８によって抑制して鍵７の前部側を良好に光らせることができる。
【００４３】
また、第１、第２の各基板２４、２７に設けられた複数の突起部２５、２８のうち、所定間隔ごとの突起部２５、２８に対応する箇所の第１、第２の各基板２４、２７には、それぞれ係合孔３０、３１が設けられており、鍵盤シャーシ６の所定箇所、つまり第１、第２の各基板搭載部１１、１３には、第１、第２の各基板２４、２７の各係合孔３０、３１に係合して第１、第２の各基板２４、２７を鍵盤シャーシ６に対して固定するための係止フック部３２、３３がそれぞれ設けられているので、ビスなどの締結部材を用いずに、第１、第２の各基板２４、２７を簡単に鍵盤シャーシ６に取り付けて固定することができる。
【００４４】
すなわち、鍵盤シャーシ６の第１基板搭載部１１に設けられた係止フック部３２を第１基板２４の各係合孔３０に挿入して係合させるだけで、第１基板２４を第１基板搭載部１１に少し後側に傾けて起立させた状態で、簡単に取り付けることができる。また、第２基板搭載部１３に設けられた係止フック部３３を第２基板２７の各係合孔３１に挿入して係合させるだけで、第２基板２７を第２基板搭載部１３に少し前側に傾けて起立させた状態で、簡単に取り付けることができる。このため、第１、第２の各基板２４、２７に各発光素子２６、２９を取り付けた状態で、ビスなどの締結部材を用いずに、第１、第２の基板２４、２７を簡単に鍵盤シャーシ６に組み付けることができるので、組立て作業の向上を図ることができる。
【００４５】
この場合、第１基板２４は、係止フック部３２によって鍵盤シャーシ６の第１基板搭載部１１に少し後側に傾いた状態で起立して取り付けられているので、この第１基板２４の突起部２５に設けられた発光素子２６で発光した光の照射範囲を調整して、発光素子２６の光を白鍵７ａの前側内部に効率良く照射させることができる。同様に、第２基板２７は、係止フック部３３によって鍵盤シャーシ６の第２基板搭載部１３に少し前側に傾いた状態で起立して取り付けられているので、この第２基板２７の突起部２８に設けられた発光素子２９で発光した光の照射範囲を調整して、発光素子２９の光を黒鍵７ｂの前側内部に効率良く照射させることができる。
【００４６】
さらに、第１、第２の各基板２４、２７に設けられた複数の突起部２５、２８の各間に位置する箇所の各基板２４、２７には、複数の鍵７が押鍵された際に、その押鍵された各鍵７の内面にこれに対応する突起部２５、２８および各発光素子２６、２９が非接触状態で、押鍵された各鍵７の下端部が当接する補助ストッパ部３４、３５がそれぞれ設けられているので、鍵７を強く押鍵して鍵７の前側下端部が下限位置を規制する各ストッパ部９、１２に当接した際に、鍵７が更に下側に撓んでも、鍵７の内面が突起部２５、２８および各発光素子２６、２９に接触するのを確実に防ぐことができ、これにより鍵７を強く押鍵しても、発光素子２６、２９が破損するのを防ぐことができる。
【００４７】
なお、前述した一実施形態では、第１、第２の各基板２４、２７に設けられた各突起部２５、２８の各上部前面に発光素子２６、２９を設けた場合について述べたが、これに限らず、例えば図５に示すように、第１、第２の各基板２４、２７に設けられた各突起部１５、２８の上部にそれぞれ凹部３８を設け、この凹部３８の下側に位置する各突起部２５、２８の前面に発光素子２６、２９をそれぞれ設けた構成でも良い。
【００４８】
このように構成すれば、鍵７を強く押鍵して鍵７の前側下端部が下限位置を規制する各ストッパ部９、１２に当接した際に、鍵７が更に下側に撓んで、仮に鍵７の内面が突起部２５、２８の上端部が当接しても、各突起部２５、２８の各凹部３８によって、発光素子２６、２９が鍵７の内面に接触するのを確実に防ぐことができ、これにより鍵７を強く押鍵しても、発光素子２６、２９が破損するのを確実に防ぐことができる。
【００４９】
また、前記一実施形態では、第１、第２の各基板２４、２７に設けられた各突起部２５、２８にそれぞれ発光素子２６、２９を１つずつ設けた場合について述べたが、これに限らず、１つの突起部２５、２８に複数の発光素子２６、２９を設けた構成でも良い。この場合には、１つの突起部２５、２８に設けられた複数の発光素子２６、２９をそれぞれ異なる色、例えば赤色、青色、黄色などの異なる色で発光させるようにすれば、演奏者の好みに応じた色で鍵７を光らせることができる。
【００５０】
さらに、前記一実施形態では、鍵７のうち、白鍵７ａの後端部に屈曲部１９を介して共通連結部１８を設け、黒鍵７ｂの後端部に屈曲部２１を介して共通連結部２０を設け、白鍵７ａの共通連結部１８を黒鍵７ｂの共通連結部２０を重ね合わせて鍵盤シャーシ６の鍵支持部１７上に取り付けるように構成した場合について述べたが、これに限らず、鍵盤シャーシ６の鍵支持部１７上に支持軸を設け、この支持軸に複数の白鍵７ａおよび複数の黒鍵盤７ｂの各後端部をそれぞれ回動可能に取り付けることにより、各鍵７がそれぞれ独立して上下方向に回動するように構成した鍵盤装置にも適用することができる。
【符号の説明】
【００５１】
１  楽器本体
２  鍵盤部
６  鍵盤シャーシ
７  鍵
７ａ  白鍵
７ｂ  黒鍵
１１、１３  第１、第２の各基板搭載部
１７  鍵支持部
１８、２０  共通連結部
１９、２１  屈曲部
２４、２７  第１、第２の各基板
２５、２８  突起部
２６  ２９  発光素子
３０、３１  係合孔
３２、３３  係止フック部
３４、３５  補助ストッパ部
【図１】
2010181756.tif 000003
【図２】
2010181756.tif 000004
【図３】
2010181756.tif 000005
【図４】
2010181756.tif 000006
【図５】
2010181756.tif 000007